(57)【要約】【課題】放電不良発生の抑制とコントラスト向上とを図る。【解決手段】パネル１０の走査電極、維持電極及びデータ電極に駆動電圧を印加する駆動部１１０，１２０，１３０，１４０と、駆動部１１０，１２０，１３０，１４０を制御して、走査電極とデータ電極及び維持電極との間に駆動電圧を印加して放電セル内の電荷を活性化させるための初期化放電を発生させる初期化期間を書込み期間の直前に設けるか否かを所定の判定結果に基づき切り替える制御部１００，１９０とを備えた。【選択図】図１
2012242730.tif 000002
【特許請求の範囲】
【請求項１】
入力された映像信号に基づく映像を表示するプラズマディスプレイ装置であって、
走査電極と維持電極とデータ電極とを有する放電セルを複数含むプラズマディスプレイパネルと、
前記走査電極に走査パルスを印加するとともに前記データ電極に書込みパルスを印加して前記放電セルで選択的に書込み放電を発生させる書込み期間と、前記走査電極および前記維持電極に輝度重みに応じた維持パルスを交互に印加して、前記書込み期間において選択された放電セルで維持放電を発生させる維持期間と、を有し、１フィールド期間に複数含まれた、サブフィールドごとに、前記輝度重みが異なるように、前記プラズマディスプレイパネルの前記走査電極、前記維持電極及び前記データ電極に駆動電圧を印加する駆動部と、
前記駆動部を制御して、前記走査電極に駆動電圧を印加して前記放電セル内の電荷を活性化させるための初期化放電を発生させる初期化期間を前記書込み期間の直前に設けるか否かを所定の判定結果に基づき切り替える制御部と
を備えたことを特徴とするプラズマディスプレイ装置。
【請求項２】
前記制御部は、前記駆動部を制御して、前記初期化期間を設けない場合の前記１フィールド期間に、前記維持パルスの印加による前記輝度重みの最小値より小さい輝度重みを持つ低輝度サブフィールドを含ませることを特徴とする請求項１に記載のプラズマディスプレイ装置。
【請求項３】
前記制御部は、前記駆動部を制御して、前記初期化期間を設けない場合の前記１フィールド期間に含まれる前記複数のサブフィールドを、前記初期化期間を設ける場合の前記１フィールド期間に含まれる前記複数のサブフィールドとそれぞれ同一の前記輝度重みを持つサブフィールドに、前記低輝度サブフィールドを挿入したものとすることを特徴とする請求項２に記載のプラズマディスプレイ装置。
【請求項４】
前記映像信号に基づき、前記１フィールド期間への前記低輝度サブフィールドの挿入が時間的に可能か否かを判定する信号判定部をさらに備え、
前記制御部は、前記挿入が時間的に不可能と前記信号判定部により判定されると前記初期化期間を設け、前記挿入が時間的に可能と前記信号判定部により判定されると前記初期化期間を設けないことを特徴とする請求項３に記載のプラズマディスプレイ装置。
【請求項５】
前記信号判定部は、前記映像信号が、左眼用映像と右眼用映像とを切り替えて表示する３次元映像を表すか、または２次元画像を表すかを判定する第１判定部を含み、
前記第１判定部は、前記映像信号が前記３次元映像を表すときは前記挿入が時間的に不可能と判定し、前記映像信号が前記２次元映像を表すときは前記挿入が時間的に可能と判定することを特徴とする請求項４に記載のプラズマディスプレイ装置。
【請求項６】
前記信号判定部は、前記映像信号のフレームレートが１００Ｈｚを超えているか否かを判定する第２判定部を含み、
前記第２判定部は、前記映像信号のフレームレートが１００Ｈｚを超えているときは前記挿入が時間的に不可能と判定し、前記映像信号のフレームレートが１００Ｈｚ以下のときは前記挿入が時間的に可能と判定することを特徴とする請求項４または５に記載のプラズマディスプレイ装置。
【請求項７】
前記映像信号に基づき特徴量を算出し、算出した前記特徴量と予め設定された閾値とを比較し、比較結果に基づき前記映像信号が黒表示を含む映像を表すか否かを判定する特徴量判定部をさらに備え、
前記制御部は、前記映像信号が黒表示を含む映像を表さないと前記特徴量判定部により判定されると前記初期化期間を設け、前記映像信号が黒表示を含む映像を表すと前記特徴量判定部により判定されると前記初期化期間を設けないことを特徴とする請求項１ないし６のいずれか１項に記載のプラズマディスプレイ装置。
【請求項８】
前記特徴量判定部は、前記映像信号に基づき、前記プラズマディスプレイパネルにおける黒表示の面積の、前記プラズマディスプレイパネルの面積に対する比率を前記特徴量として算出し、算出した前記比率と前期閾値とを比較する第３判定部を含み、
前記第３判定部は、前記比率が前記閾値以上のときは前記映像信号が黒表示を含む映像を表すと判定し、前記比率が前記閾値未満のときは前記映像信号が黒表示を含む映像を表さないと判定することを特徴とする請求項７に記載のプラズマディスプレイ装置。
【請求項９】
前記特徴量判定部は、前記映像信号の平均輝度を前記特徴量として算出し、算出した前記平均輝度と前記閾値とを比較する第４判定部を含み、
前記第４判定部は、前記平均輝度が前記閾値以下のときは前記映像信号が黒表示を含む映像を表すと判定し、前記平均輝度が前記閾値を超えるときは前記映像信号が黒表示を含む映像を表さないと判定することを特徴とする請求項７または８に記載のプラズマディスプレイ装置。
【請求項１０】
前記プラズマディスプレイパネルの近傍の照度を検出し、検出した前記照度が予め設定された閾値以下か否かを判定する照度判定部をさらに備え、
前記制御部は、前記照度が前記閾値以下と前記照度判定部により判定されると前記初期化期間を設けず、前記照度が前記閾値を超えていると前記照度判定部により判定されると前記初期化期間を設けることを特徴とする請求項１ないし９のいずれか１項に記載のプラズマディスプレイ装置。
【請求項１１】
前記制御部は、前記判定結果に基づき前記１フィールドの全ラインに前記初期化期間を設ける第１状態から前記１フィールドの全ラインに前記初期化期間を設けない第２状態に切り替えるとき、及び、前記判定結果に基づき前記第２状態から前記第１状態に切り替えるときには、前記初期化期間を前記１フィールドの一部のラインにのみ設けた第３状態を経て切り替えることを特徴とする請求項１ないし１０のいずれか１項に記載のプラズマディスプレイ装置。
【請求項１２】
走査電極と維持電極とデータ電極とを有する放電セルを複数含むプラズマディスプレイパネルを駆動するプラズマディスプレイパネルの駆動方法であって、
前記走査電極に走査パルスを印加するとともに前記データ電極に書込みパルスを印加して前記放電セルで選択的に書込み放電を発生させる書込み期間と、前記走査電極および前記維持電極に輝度重みに応じた維持パルスを交互に印加して、前記書込み期間において選択された放電セルで維持放電を発生させる維持期間と、を有するサブフィールドを複数含んで１フィールド期間を構成し、
前記サブフィールドごとに、前記輝度重みがそれぞれ異なるように、前記プラズマディスプレイパネルの前記走査電極、前記維持電極及び前記データ電極に駆動電圧を印加し、
前記走査電極と前記データ電極及び前記維持電極との間に駆動電圧を印加して前記放電セル内の電荷を活性化させるための初期化放電を発生させる初期化期間を前記書込み期間の直前に設けるか否かを所定の判定結果に基づき切り替えることを特徴とするプラズマディスプレイパネルの駆動方法。
【発明の詳細な説明】
【技術分野】
【０００１】
本発明は、交流面放電型のプラズマディスプレイ装置およびプラズマディスプレイパネルの駆動方法に関するものである。
【背景技術】
【０００２】
プラズマディスプレイパネル（以下、「パネル」と言う）は、走査電極と維持電極とデータ電極とを有する放電セルを複数備え、放電セル内でガス放電により発生させた紫外線で赤色、緑色および青色の各色の蛍光体を励起発光させてカラー表示を行っている。
【０００３】
パネルを駆動する方法としてはサブフィールド法、すなわち初期化期間、書込み期間、維持期間及び消去期間を有するサブフィールドを複数用いて１つのフィールドを構成し、発光させるサブフィールドの組み合わせによって階調表示を行う方法が一般的である。各サブフィールドの初期化期間には初期化動作、書込み期間には書込み動作、維持期間には維持動作、消去期間には消去動作が行われる。
【０００４】
初期化動作は、初期化放電を発生し、続く書込み動作が好適に行われるように放電セル内の電荷を活性化させる動作である。書込み動作は、表示する画像に応じて放電セルで選択的に書込み放電を発生し壁電荷を形成する動作である。維持動作は、表示電極対に交互に維持パルスを印加して維持放電を発生させ、対応する放電セルの蛍光体層を発光させる動作である。消去動作は、書込み放電を発生した放電セルで選択的に消去放電を発生して壁電荷の履歴を消去し、続く書込み放電に必要な壁電荷を各電極に形成する動作である。
【０００５】
維持放電による蛍光体層の発光は、階調表示に関係する発光であり、その他の発光は階調表示に関係しない発光である。つまり、維持期間における維持動作では、サブフィールド毎に予め決められた輝度重みに応じた数の維持パルスにより維持放電を発生させて放電セルを発光させている。従来、最小の輝度重みを低減することで、低階調表示を向上させたプラズマディスプレイ装置が提案されている（特許文献１参照）。この特許文献１では、維持パルスを印加せずに、選択的に書込み放電を発生した放電セルの発光光量を低下させるようにして、低階調表示を向上させている。
【先行技術文献】
【特許文献】
【０００６】
【特許文献１】特開２００５−１０７４９５号公報
【発明の概要】
【発明が解決しようとする課題】
【０００７】
一方、維持放電以外の階調表示に関係しない発光を極力減らし、サブフィールド法において最も低い階調である黒を表示する際の輝度を下げてコントラストを向上させることが求められている。そのためには、初期化動作を行う初期化期間を設けないようにすればよい。しかしながら、初期化期間を設けない場合には、放電セル内の電荷を活性化させる効果がなくなるため、書込み放電が好適に行われずに、放電不良が発生する可能性が高くなる。
【０００８】
放電セル内の電荷を活性化させる効果は、維持期間の発光によっても得られるが、黒を表示している放電セルでは維持期間での発光が起こらない。したがって、単に初期化期間を設けないだけでは、黒を長く表示している放電セルほど、放電不良発生の可能性が高くなる。そこで、例えば上記特許文献１に記載のような、放電セルの発光光量を低下させた低輝度サブフィールドを初期化期間に代えて設けることが考えられる。低輝度サブフィールドを設けることで、各放電セルの発光確率を高めることができ、放電不良の発生を抑制することが可能となる。
【０００９】
但し、上記低輝度サブフィールドの輝度は、通常の輝度重みが最小のサブフィールドの輝度に比べて、さらに低い。したがって、サブフィールド数を増やさずに、従来のサブフィールドの１つを上記低輝度サブフィールドに置き換えただけでは、上記低輝度サブフィールドの輝度重みが低すぎるために、輝度重みの組合せによる階調の連続性が保てず、滑らかな階調を実現することが困難になる。そこで、１フィールド期間に設けるサブフィールドを１つ増やして上記低輝度サブフィールドを追加することが考えられる。一方、１フィールド期間の長さは表示される映像によって異なる場合がある。したがって、表示される映像によっては、１フィールド期間が短いために、サブフィールドを増やすことが困難な場合もある。このように、コントラスト向上のために、初期化期間を設けないようにするにあたっては、放電不良発生の抑制など種々の観点から十分に検討することが必要になる。
【００１０】
本発明は、上記課題を解決するもので、放電不良発生の抑制とコントラスト向上とを図ることができるプラズマディスプレイ装置およびプラズマディスプレイパネルの駆動方法を提供することを目的とする。
【課題を解決するための手段】
【００１１】
本発明の一局面に係るプラズマディスプレイ装置は、入力された映像信号に基づく映像を表示するプラズマディスプレイ装置であって、走査電極と維持電極とデータ電極とを有する放電セルを複数含むプラズマディスプレイパネルと、前記走査電極に走査パルスを印加するとともに前記データ電極に書込みパルスを印加して前記放電セルで選択的に書込み放電を発生させる書込み期間と、前記走査電極および前記維持電極に輝度重みに応じた維持パルスを交互に印加して、前記書込み期間において選択された放電セルで維持放電を発生させる維持期間と、を有し、１フィールド期間に複数含まれた、サブフィールドごとに、前記輝度重みが異なるように、前記プラズマディスプレイパネルの前記走査電極、前記維持電極及び前記データ電極に駆動電圧を印加する駆動部と、前記駆動部を制御して、前記走査電極と前記データ電極及び前記維持電極との間に駆動電圧を印加して前記放電セル内の電荷を活性化させるための初期化放電を発生させる初期化期間を前記書込み期間の直前に設けるか否かを所定の判定結果に基づき切り替える制御部とを備えた。
【００１２】
この構成によれば、プラズマディスプレイパネルは、走査電極と維持電極とデータ電極とを有する放電セルを複数含む。サブフィールドは、走査電極に走査パルスを印加するとともにデータ電極に書込みパルスを印加して放電セルで選択的に書込み放電を発生させる書込み期間と、走査電極および維持電極に輝度重みに応じた維持パルスを交互に印加して、書込み期間において選択された放電セルで維持放電を発生させる維持期間と、を有し、１フィールド期間に複数含まれている。駆動部は、サブフィールドごとに、輝度重みが異なるように、プラズマディスプレイパネルの走査電極、維持電極及びデータ電極に駆動電圧を印加する。制御部は、駆動部を制御して、走査電極とデータ電極及び維持電極との間に駆動電圧を印加して放電セル内の電荷を活性化させるための初期化放電を発生させる初期化期間を書込み期間の直前に設けるか否かを所定の判定結果に基づき切り替える。したがって、判定結果に基づき初期化期間を設けた場合には、放電不良発生の抑制を図ることができる。一方、判定結果に基づき初期化期間を設けない場合には、初期化放電に起因する黒表示の輝度上昇が起こらないため、コントラスト向上を図ることができる。
【００１３】
上記のプラズマディスプレイ装置において、前記制御部は、前記駆動部を制御して、前記初期化期間を設けない場合の前記１フィールド期間に、前記維持パルスの印加による前記輝度重みの最小値より小さい輝度重みを持つ低輝度サブフィールドを含ませることが好ましい。
【００１４】
この構成によれば、制御部は、駆動部を制御して、初期化期間を設けない場合の１フィールド期間に、維持パルスの印加による輝度重みの最小値より小さい輝度重みを持つ低輝度サブフィールドを含ませる。低輝度サブフィールドの輝度重みは、維持パルスの印加による輝度重みの最小値より小さいため、維持パルスの印加による輝度重みの最小値を持つサブフィールドに比べて、低輝度サブフィールドの発光確率が高くなる。したがって、低輝度サブフィールドの発光により放電セルの発光確率が高くなるため、初期化期間を設けなくても、放電セル内の電荷を活性化することが可能になる。その結果、放電不良の発生を抑制し、画質低下を防止することができる。
【００１５】
上記のプラズマディスプレイ装置において、前記制御部は、前記駆動部を制御して、前記初期化期間を設けない場合の前記１フィールド期間に含まれる前記複数のサブフィールドを、前記初期化期間を設ける場合の前記１フィールド期間に含まれる前記複数のサブフィールドとそれぞれ同一の前記輝度重みを持つサブフィールドに、前記低輝度サブフィールドを挿入したものとすることが好ましい。
【００１６】
この構成によれば、制御部は、駆動部を制御して、初期化期間を設けない場合の１フィールド期間に含まれる複数のサブフィールドを、初期化期間を設ける場合の１フィールド期間に含まれる複数のサブフィールドとそれぞれ同一の輝度重みを持つサブフィールドに、低輝度サブフィールドを挿入したものとする。低輝度サブフィールドが持つ輝度重みは、維持パルスの印加による輝度重みの最小値より小さいため、映像への輝度の寄与は小さい。したがって、サブフィールド数を増やさずに、単にサブフィールドの１つを低輝度サブフィールドに置き換えただけでは、低輝度サブフィールドの輝度重みが低すぎるために、輝度重みの組合せによる階調の連続性が保てず、滑らかな階調を実現することが困難になる。しかし、上記構成では、サブフィールドを低輝度サブフィールドに置き換えるのではなくて、初期化期間を設ける場合の１フィールド期間に含まれる複数のサブフィールドとそれぞれ同一の輝度重みを持つサブフィールドに、低輝度サブフィールドを挿入したものとしている。その結果、階調の滑らかさが低下することはないという利点がある。
【００１７】
上記のプラズマディスプレイ装置において、前記映像信号に基づき、前記１フィールド期間への前記低輝度サブフィールドの挿入が時間的に可能か否かを判定する信号判定部をさらに備え、前記制御部は、前記挿入が時間的に不可能と前記信号判定部により判定されると前記初期化期間を設け、前記挿入が時間的に可能と前記信号判定部により判定されると前記初期化期間を設けないことが好ましい。
【００１８】
この構成によれば、信号判定部は、映像信号に基づき、１フィールド期間への低輝度サブフィールドの挿入が時間的に可能か否かを判定する。制御部は、挿入が時間的に不可能と信号判定部により判定されると初期化期間を設け、挿入が時間的に可能と信号判定部により判定されると初期化期間を設けない。したがって、１フィールド期間への低輝度サブフィールドの挿入が時間的に可能か否かに応じて、初期化期間の有無が好適に切り替えられる。
【００１９】
上記のプラズマディスプレイ装置において、前記信号判定部は、前記映像信号が、左眼用映像と右眼用映像とを切り替えて表示する３次元映像を表すか、または２次元画像を表すかを判定する第１判定部を含み、前記第１判定部は、前記映像信号が前記３次元映像を表すときは前記挿入が時間的に不可能と判定し、前記映像信号が前記２次元映像を表すときは前記挿入が時間的に可能と判定することが好ましい。
【００２０】
この構成によれば、信号判定部は、映像信号が、左眼用映像と右眼用映像とを切り替えて表示する３次元映像を表すか、または２次元画像を表すかを判定する第１判定部を含む。第１判定部は、映像信号が３次元映像を表すときは挿入が時間的に不可能と判定し、映像信号が２次元映像を表すときは挿入が時間的に可能と判定する。３次元映像は、左眼用映像と右眼用映像とを切り替えて表示するため、２次元映像に比べて１フィールド期間が約半分になる。したがって、第１判定部は、３次元映像では挿入が不可能と判定し、２次元映像では挿入が可能と判定することで、映像に応じて挿入が可能か否かを好適に判定できる。その結果、制御部は、映像が３次元映像を表すときは、挿入が時間的に不可能と判定されるため、初期化期間を設ける。これによって、放電不良発生の防止を図ることができる。一方、制御部は、映像信号が２次元映像を表すときは、挿入が時間的に可能と判定されるため、初期化期間を設けない。これによって、初期化放電に起因する黒表示の輝度上昇が起こらないため、コントラストの向上を図ることができる。
【００２１】
上記のプラズマディスプレイ装置において、前記信号判定部は、前記映像信号のフレームレートが１００Ｈｚを超えているか否かを判定する第２判定部を含み、前記第２判定部は、前記映像信号のフレームレートが１００Ｈｚを超えているときは前記挿入が時間的に不可能と判定し、前記映像信号のフレームレートが１００Ｈｚ以下のときは前記挿入が時間的に可能と判定することが好ましい。
【００２２】
この構成によれば、信号判定部は、映像信号のフレームレートが１００Ｈｚを超えているか否かを判定する第２判定部を含む。第２判定部は、映像信号のフレームレートが１００Ｈｚを超えているときは挿入が時間的に不可能と判定し、映像信号のフレームレートが１００Ｈｚ以下のときは挿入が時間的に可能と判定する。映像信号のフレームレートが１００Ｈｚのときは、１フィールド期間が１０ｍｓｅｃとなるが、この場合には、１フィールド期間への低輝度サブフィールドの挿入が時間的に可能と判定される。一方、映像信号のフレームレートが１００Ｈｚを超えると、１フィールド期間が１０ｍｓｅｃ未満となるため、この場合には、１フィールド期間への低輝度サブフィールドの挿入が時間的に不可能と判定される。このように、第２判定部は、映像信号のフレームレートが１００Ｈｚを超えているか否かに応じて、挿入が時間的に可能か不可能かを好適に判定できる。その結果、制御部は、映像信号のフレームレートが１００Ｈｚを超えるときは、挿入が時間的に不可能と判定されるため、初期化期間を設ける。これによって、放電不良発生の防止を図ることができる。一方、制御部は、映像信号のフレームレートが１００Ｈｚ以下のときは、挿入が時間的に可能と判定されるため、初期化期間を設けない。これによって、初期化放電に起因する黒表示の輝度上昇が起こらないため、コントラストの向上を図ることができる。
【００２３】
上記のプラズマディスプレイ装置において、前記映像信号に基づき特徴量を算出し、算出した前記特徴量と予め設定された閾値とを比較し、比較結果に基づき前記映像信号が黒表示を含む映像を表すか否かを判定する特徴量判定部をさらに備え、前記制御部は、前記映像信号が黒表示を含む映像を表さないと前記特徴量判定部により判定されると前記初期化期間を設け、前記映像信号が黒表示を含む映像を表すと前記特徴量判定部により判定されると前記初期化期間を設けないことが好ましい。
【００２４】
この構成によれば、特徴量判定部は、映像信号に基づき特徴量を算出し、算出した特徴量と予め設定された閾値とを比較し、比較結果に基づき映像信号が黒表示を含む映像を表すか否かを判定する。制御部は、映像信号が黒表示を含む映像を表さないと特徴量判定部により判定されると初期化期間を設ける。したがって、放電不良発生の抑制を図ることができる。一方、制御部は、映像信号が黒表示を含む映像を表すと特徴量判定部により判定されると初期化期間を設けない。したがって、初期化放電に起因する黒表示の輝度上昇を抑制することができるため、黒表示を含む映像を好適に表示でき、コントラストの向上を図ることができる。
【００２５】
上記のプラズマディスプレイ装置において、前記特徴量判定部は、前記映像信号に基づき、前記プラズマディスプレイパネルにおける黒表示の面積の、前記プラズマディスプレイパネルの面積に対する比率を前記特徴量として算出し、算出した前記比率と前期閾値とを比較する第３判定部を含み、前記第３判定部は、前記比率が前記閾値以上のときは前記映像信号が黒表示を含む映像を表すと判定し、前記比率が前記閾値未満のときは前記映像信号が黒表示を含む映像を表さないと判定することが好ましい。
【００２６】
この構成によれば、特徴量判定部は、映像信号に基づき、プラズマディスプレイパネルにおける黒表示の面積の、プラズマディスプレイパネルの面積に対する比率を特徴量として算出し、算出した比率と閾値とを比較する第３判定部を含む。第３判定部は、比率が閾値以上のときは映像信号が黒表示を含む映像を表すと判定し、比率が閾値未満のときは映像信号が黒表示を含む映像を表さないと判定する。黒表示の面積のプラズマディスプレイパネルの面積に対する比率が閾値以上のときは、閾値未満のときに比べて、黒表示の面積が大きい。したがって、第３判定部は、黒表示の面積のプラズマディスプレイパネルの面積に対する比率に基づき、映像信号が黒表示を含む映像を表すか否かを好適に判定することができる。その結果、制御部は、映像信号が黒表示を含む映像を表さないと第３判定部により判定されると初期化期間を設ける。したがって、放電不良発生の抑制を図ることができる。一方、制御部は、映像信号が黒表示を含む映像を表すと第３判定部により判定されると初期化期間を設けない。したがって、初期化放電に起因する黒表示の輝度上昇を抑制することができ、黒表示を含む映像を好適に表示でき、コントラストの向上を図ることができる。
【００２７】
上記のプラズマディスプレイ装置において、前記特徴量判定部は、前記映像信号の平均輝度を前記特徴量として算出し、算出した前記平均輝度と前記閾値とを比較する第４判定部を含み、前記第４判定部は、前記平均輝度が前記閾値以下のときは前記映像信号が黒表示を含む映像を表すと判定し、前記平均輝度が前記閾値を超えるときは前記映像信号が黒表示を含む映像を表さないと判定することが好ましい。
【００２８】
この構成によれば、特徴量判定部は、映像信号の平均輝度を特徴量として算出し、算出した平均輝度と閾値とを比較する第４判定部を含む。第４判定部は、平均輝度が閾値以下のときは映像信号が黒表示を含む映像を表すと判定し、平均輝度が閾値を超えるときは映像信号が黒表示を含む映像を表さないと判定する。映像信号の平均輝度が閾値以下のときは、閾値を超えるときに比べて、暗い映像を表す。したがって、第４判定部は、映像信号の平均輝度に基づき、映像信号が黒表示を含む映像を表すか否かを好適に判定することができる。その結果、制御部は、映像信号が黒表示を含む映像を表さないと第４判定部により判定されると初期化期間を設ける。したがって、放電不良発生の抑制を図ることができる。一方、制御部は、映像信号が黒表示を含む映像を表すと第４判定部により判定されると初期化期間を設けない。したがって、初期化放電に起因する黒表示の輝度上昇を抑制することができ、黒表示を含む映像を好適に表示でき、コントラストの向上を図ることができる。
【００２９】
上記のプラズマディスプレイ装置において、前記プラズマディスプレイパネルの近傍の照度を検出し、検出した前記照度が予め設定された閾値以下か否かを判定する照度判定部をさらに備え、前記制御部は、前記照度が前記閾値以下と前記照度判定部により判定されると前記初期化期間を設けず、前記照度が前記閾値を超えていると前記照度判定部により判定されると前記初期化期間を設けることが好ましい。
【００３０】
この構成によれば、照度判定部は、プラズマディスプレイパネルの近傍の照度を検出し、検出した照度が予め設定された閾値以下か否かを判定する。制御部は、照度が閾値以下と照度判定部により判定されると初期化期間を設けない。したがって、照度が閾値以下では黒表示の輝度上昇が比較的目立ちやすいが、初期化放電に起因する黒表示の輝度上昇を抑制することができるため、好適である。一方、制御部は、照度が閾値を超えていると照度判定部により判定されると初期化期間を設ける。したがって、放電不良発生の抑制を図ることができる。また、照度が閾値を超えている場合には、初期化放電に起因する黒表示の輝度上昇があっても目立たない。
【００３１】
上記のプラズマディスプレイ装置において、前記制御部は、前記判定結果に基づき前記１フィールドの全ラインに前記初期化期間を設ける第１状態から前記１フィールドの全ラインに前記初期化期間を設けない第２状態に切り替えるとき、及び、前記判定結果に基づき前記第２状態から前記第１状態に切り替えるときには、前記初期化期間を前記１フィールドの一部のラインにのみ設けた第３状態を経て切り替えることが好ましい。
【００３２】
この構成によれば、制御部は、判定結果に基づき１フィールドの全ラインに初期化期間を設ける第１状態から１フィールドの全ラインに初期化期間を設けない第２状態に切り替えるとき、及び、判定結果に基づき１フィールドの全ラインに初期化期間を設けない第２状態から１フィールドの全ラインに初期化期間を設ける第１状態に切り替えるときには、初期化期間を１フィールドの一部のラインにのみ設けた第３状態を経て切り替える。１フィールドの全ラインに初期化期間を設ける第１状態では、初期化放電に起因する黒表示の輝度上昇がプラズマディスプレイパネルの全体に生じ、１フィールドの全ラインに初期化期間を設けない第２状態では、初期化放電に起因する黒表示の輝度上昇が全く生じない。一方、初期化期間を１フィールドの一部のラインにのみ設けた第３状態では、初期化放電に起因する黒表示の輝度上昇が当該一部の放電セルにのみ生じる。したがって、第１状態と第２状態との間で第３状態を経ることなく切り替えられる場合に比べて、第３状態を経て切り替えられる上記構成では、第１状態と第２状態との境界を目立ちにくくすることができる。
【００３３】
本発明の他の局面に係るプラズマディスプレイパネルの駆動方法は、走査電極と維持電極とデータ電極とを有する放電セルを複数含むプラズマディスプレイパネルを駆動するプラズマディスプレイパネルの駆動方法であって、前記走査電極に走査パルスを印加するとともに前記データ電極に書込みパルスを印加して前記放電セルで選択的に書込み放電を発生させる書込み期間と、前記走査電極および前記維持電極に輝度重みに応じた維持パルスを交互に印加して、前記書込み期間において選択された放電セルで維持放電を発生させる維持期間と、を有するサブフィールドを複数含んで１フィールド期間を構成し、前記サブフィールドごとに、前記輝度重みがそれぞれ異なるように、前記プラズマディスプレイパネルの前記走査電極、前記維持電極及び前記データ電極に駆動電圧を印加し、前記走査電極と前記データ電極及び前記維持電極との間に駆動電圧を印加して前記放電セル内の電荷を活性化させるための初期化放電を発生させる初期化期間を前記書込み期間の直前に設けるか否かを所定の判定結果に基づき切り替える。
【００３４】
この構成によれば、プラズマディスプレイパネルは、走査電極と維持電極とデータ電極とを有する放電セルを複数含む。１フィールド期間は、走査電極に走査パルスを印加するとともにデータ電極に書込みパルスを印加して放電セルで選択的に書込み放電を発生させる書込み期間と、走査電極および維持電極に輝度重みに応じた維持パルスを交互に印加して、書込み期間において選択された放電セルで維持放電を発生させる維持期間と、を有するサブフィールドを複数含んで構成されている。サブフィールドごとに、輝度重みがそれぞれ異なるように、プラズマディスプレイパネルの走査電極、維持電極及びデータ電極に駆動電圧が印加される。走査電極とデータ電極及び維持電極との間に駆動電圧を印加して放電セル内の電荷を活性化させるための初期化放電を発生させる初期化期間を書込み期間の直前に設けるか否かが所定の判定結果に基づき切り替えられる。したがって、判定結果に基づき初期化期間を設けた場合には、放電不良発生の抑制を図ることができる。一方、判定結果に基づき初期化期間を設けない場合には、初期化放電に起因する黒表示の輝度上昇が起こらないため、コントラスト向上を図ることができる。
【発明の効果】
【００３５】
本発明によれば、判定結果に基づき初期化期間を設けた場合には、放電不良発生の抑制を図ることができる一方、判定結果に基づき初期化期間を設けない場合には、コントラスト向上を図ることができる。
【図面の簡単な説明】
【００３６】
【図１】本発明の一実施形態におけるプラズマディスプレイ装置の電気的構成を示すブロック図である。
【図２】本発明の一実施形態におけるプラズマディスプレイ装置に用いられるパネルの電極配列及び駆動部を示す図である。
【図３】本発明の一実施形態におけるプラズマディスプレイ装置に用いられるパネルの分解斜視図である。
【図４】本実施形態におけるパネルの駆動を説明する模式図で、初期化期間が設けられた駆動を示す。
【図５】本実施形態におけるパネルの駆動を説明する模式図で、初期化期間が設けられない駆動を示す。
【図６】輝度重みの発光確率を説明する模式図である。
【図７】初期化調整部により生成される、初期化期間を一部のラインにのみ設けたフィールドを説明する模式図である。
【図８】２Ｄ３Ｄ判定部の判定結果に基づく動作手順を示すフローチャートである。
【図９】フレームレート判定部の判定結果に基づく動作手順を示すフローチャートである。
【図１０】黒面積判定部の判定結果に基づく動作手順を示すフローチャートである。
【図１１】ＡＰＬ判定部の判定結果に基づく動作手順を示すフローチャートである。
【図１２】照度判定部の判定結果に基づく動作手順を示すフローチャートである。
【発明を実施するための形態】
【００３７】
以下、本発明の実施形態におけるプラズマディスプレイ装置について、図面を用いて説明する。
【００３８】
図１は、本発明の一実施形態におけるプラズマディスプレイ装置の電気的構成を示すブロック図である。図２は、本発明の一実施形態におけるプラズマディスプレイ装置に用いられるパネル１０の電極配列及び駆動部を示す図である。図３は、本発明の一実施形態におけるプラズマディスプレイ装置に用いられるパネル１０の分解斜視図である。
【００３９】
図３に示されるように、ガラス製の前面基板２１上には、走査電極２２と維持電極２３とからなる表示電極対２４が複数形成されている。そして表示電極対２４を覆うように誘電体層２５が形成され、その誘電体層２５上に保護層２６が形成されている。保護層２６は、放電を発生しやすくするために、電子放出性能の高い材料である酸化マグネシウムを用いて形成されている。背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色、緑色および青色の各色に発光する蛍光体層３５が設けられている。赤の蛍光体としては、例えば（Ｙ，Ｇｄ）ＢＯ３：Ｅｕを、緑の蛍光体としては、例えばＺｎ２ＳｉＯ４：Ｍｎを、青の蛍光体としては、例えばＢａＭｇＡｌ１０Ｏ１７：Ｅｕをそれぞれ主成分とする蛍光体を用いている。
【００４０】
これら前面基板２１と背面基板３１とは、微小な放電空間を挟んで表示電極対２４とデータ電極３２とが交差するように対向配置され、その外周部をガラスフリット等の封着材によって封着されている。そして放電空間には、放電ガスとして、例えばネオンとキセノンとの混合ガスが封入されている。放電空間は隔壁３４によって複数の区画に仕切られており、表示電極対２４とデータ電極３２とが交差する部分に放電セルＤＣ（図２）が形成されている。そしてこれらの放電セルＤＣが放電、発光することによりパネル１０に画像が表示される。なお、パネル１０の構造は上述したものに限られるわけではなく、例えばストライプ状の隔壁を備えたものであってもよい。
【００４１】
図２に示されるように、パネル１０には、行方向に延びるｎ本の走査電極ＳＣ１〜走査電極ＳＣｎを含む走査電極２２およびｎ本の維持電極ＳＵ１〜維持電極ＳＵｎを含む維持電極２３が配列され、列方向に延びるｍ本のデータ電極Ｄ１〜データ電極Ｄｍを含むデータ電極３２が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルＤＣが形成され、放電セルＤＣは放電空間内にｍ×ｎ個形成されている。
【００４２】
図１において、駆動信号生成部１００は、入力される映像信号から、書込みデータ及び各駆動部１１０〜１４０を動作させる同期信号を生成する。初期化駆動部１１０は、初期化期間において、走査電極２２とデータ電極３２及び維持電極２３との間に駆動電圧を印加して、それまでの放電の有無にかかわらず強制的に初期化放電を発生させ、放電セルＤＣ内の電荷を活性化させて、書込みできる電荷を形成する。データ書込駆動部１２０は、書込み期間において、駆動信号生成部１００からの書込みデータ及び同期信号に基づき、走査電極２２に走査パルスを印加するとともにデータ電極３２に書込みパルスを印加して、発光させるべき放電セルＤＣで選択的に書込み放電を発生し壁電荷を形成する書込み動作を行う。維持駆動部１３０は、駆動信号生成部１００からの同期信号に基づき、維持期間において、サブフィールド毎に予め決められた輝度重みに応じた数の維持パルスを走査電極２２及び維持電極２３からなる表示電極対２４に交互に印加して、書込み放電を発生した放電セルＤＣで維持放電を発生させて発光させる維持動作を行う。消去駆動部１４０は、駆動信号生成部１００からの同期信号に基づき、消去期間において、走査電極２２及び維持電極２３からなる表示電極対２４に電圧を印加して、直前の書込み期間において書込み放電を発生した放電セルＤＣのみで選択的に消去放電を発生し、書込み放電またはそれに続く維持放電で形成された壁電荷の履歴を消去し、続く書込み放電に必要な壁電荷を各電極上に形成する消去動作を行う。本実施形態において、初期化駆動部１１０、データ書込駆動部１２０、維持駆動部１３０および消去駆動部１４０は、駆動部に対応する。
【００４３】
図４及び図５は、本実施形態におけるパネル１０の駆動を説明する模式図である。図４は、初期化期間が設けられた駆動を示し、図５は、初期化期間が設けられない駆動を示す。プラズマディスプレイ装置は、サブフィールド法、すなわち１フィールドを複数のサブフィールドに分割し、サブフィールド毎に各放電セルの発光・非発光を制御することによって、映像をパネル１０に表示する。
【００４４】
駆動信号生成部１００により生成されるサブフィールドの構成は、図４に示される駆動では、例えば、１フィールドを７のサブフィールド（ＳＦ１、ＳＦ２、・・・、ＳＦ７）に分割し、各サブフィールドはそれぞれ、（１、２、４、８、１６、３２、６４）の輝度重みを持つ。図４に示される駆動では、先頭のサブフィールド（ＳＦ１）のみ初期化期間が設けられ、それ以降のサブフィールド（ＳＦ２〜ＳＦ７）では、初期化期間は設けられない。
【００４５】
初期化期間では、図４に示されるように、公知の駆動電圧波形が印加されている。すなわち、初期化期間の前半では、全てのデータ電極３２および全ての維持電極２３を０Ｖに保持し、全ての走査電極２２には、全ての維持電極２３に対して放電開始電圧以下の電圧から、その放電開始電圧を超える電圧に向かって緩やかに上昇するランプ電圧が印加される。また、初期化期間の後半では、全ての維持電極２３を正電圧に保ち、全ての走査電極２２には、全ての維持電極２３に対して放電開始電圧以下となる電圧から、放電開始電圧を超える０Ｖに向かって緩やかに下降するランプ電圧が印加される。これによって、放電セル内の電荷が活性化されて、書込み動作に適した状態になる。
【００４６】
また、駆動信号生成部１００により生成されるサブフィールドの構成は、図５に示される駆動では、例えば、１フィールドを８のサブフィールド（ＳＦ１、ＳＦ２、・・・、ＳＦ８）に分割し、各サブフィールドはそれぞれ、（ｐ、１、２、４、８、１６、３２、６４）の輝度重みを持つ。但し、ｐ＜１である。つまり、図４に示される駆動に比べて、輝度重みｐ（ｐ＜１）を持つサブフィールドが１個追加されている。輝度重みｐは後述される。図５に示される駆動では、それぞれのサブフィールドは、初期化期間が設けられず、書込み期間、維持期間および消去期間のみを有する。本実施形態においては、後述されるように、図４に示される駆動と図５に示される駆動とが、切り替えられて実行される。なお、本発明は、上記のサブフィールド数、輝度重み等のサブフィールド構成に限定されるものではない。また、上記例では、各サブフィールドの輝度重みをｐ、１、２、４と単調に増加させているが、これに限定されず、各サブフィールドの輝度重みを１，１６，８，４，２としてもよい。
【００４７】
図６は、輝度重みｐの発光確率を説明する模式図である。図６を用いて、輝度重みｐが説明される。
【００４８】
図６における入力信号レベルＬ１は、図４に示される駆動におけるサブフィールドＳＦ１が持つ最小の輝度重み１の明るさに相当する。入力信号レベルがレベルＬ１以上のときに、輝度重み１を持つサブフィールドの発光確率が１００％となり、レベルＬ１より低くなると、レベルに応じて発光確率も低くなる。
【００４９】
一方、入力信号レベルＬ０は、図５に示される駆動におけるサブフィールドＳＦ１が持つ最小の輝度重みｐの明るさに相当する。入力信号レベルがレベルＬ０以上のときに、輝度重みｐを持つサブフィールドの発光確率が１００％となり、レベルＬ０より低くなると、レベルに応じて発光確率も低くなる。図６から、輝度重みｐ（ｐ＜１）を持つサブフィールドの方が、輝度重み１を持つサブフィールドよりも、発光確率が高いことが分かる。
【００５０】
上述のように、初期化期間を設けない場合には、書込み放電において放電不良が発生する可能性が高くなる。しかし、図５に示される駆動では、輝度重みｐ（ｐ＜１）を持つサブフィールドＳＦ１を備えることにより、各放電セルの発光確率が上昇するため、初期化期間を設けなくても、放電不良発生を防止することができる。
【００５１】
しかし、輝度重みｐ（ｐ＜１）を持つサブフィールドでは、輝度重みｐが小さいため、映像に対する輝度としての寄与が殆どない。したがって、図４に示される駆動の１つのサブフィールドを、輝度重みｐ（ｐ＜１）を持つサブフィールドに置き換えたのでは、滑らかな階調を実現することが困難になる。
【００５２】
そこで、図５に示される駆動では、図４に示される駆動の１つのサブフィールドを、輝度重みｐ（ｐ＜１）を持つサブフィールドに置き換えるのではなくて、他のサブフィールドが持つ輝度重みは同じままで、輝度重みｐ（ｐ＜１）を持つサブフィールドを追加している。つまり、図５に示される駆動では、図４に示される駆動に対して、サブフィールド数を１個増やしている。これによって、滑らかな階調を実現している。
【００５３】
しかしながら、例えばパネル１０に表示する映像が３次元映像などのようにフレームレートが高い映像では、１フィールド期間が短いために、サブフィールド数を増やすことができない。そこで、本実施形態では、入力される映像信号などに基づいて、図４に示される駆動と図５に示される駆動とが、切り替えられて実行される。
【００５４】
図１に戻って、２Ｄ３Ｄ判定部１５０は、入力される映像信号から２次元映像か３次元映像かを判定し、その判定結果を初期化調整部１９０に通知する。２Ｄ３Ｄ判定部１５０は、代替的に、入力される映像信号の垂直同期信号のリフレッシュレートから３次元映像を判定するようにしてもよい。フレームレート判定部１６０は、入力される映像信号のフレームレートが１００Ｈｚを超えるか否かを判定し、その判定結果を初期化調整部１９０に通知する。本実施形態において、２Ｄ３Ｄ判定部１５０およびフレームレート判定部１６０は、信号判定部の一例に対応し、２Ｄ３Ｄ判定部１５０は、第１判定部の一例に対応し、フレームレート判定部１６０は、第２判定部の一例に対応する。
【００５５】
また、サブフィールド数を増やすことが出来ない原因としては、１フィールド期間が短いためだけでなく、電力による制限もある。たとえば、サブフィールド数が増えたことにより、データ書き込みで発生する電力が、定格電力の容量を超える場合にはサブフィールド数を増やすことができない。従って、データ書き込みで発生する電力が定格電力の容量を超えるか否かに基づいて、初期化期間を設けるか否かが判定されても良い。
【００５６】
特徴量判定部１７０は、ＡＰＬ判定部１７１と、黒面積判定部１７２と、を含む。ＡＰＬ判定部１７１は、映像信号から平均輝度を表すＡＰＬ（average picture level）を算出し、算出したＡＰＬが所定値（本実施形態では例えば１０％）以下か所定値を超えるかを判定し、その判定結果を初期化調整部１９０に通知する。ＡＰＬ判定部１７１は、ＡＰＬが所定値以下のときは、映像信号が黒表示を含む映像を表すと判定する。言い換えると、ＡＰＬ判定部１７１は、ＡＰＬが所定値以下のときは、映像信号が黒表示を重視する映像を表すと判定する。
【００５７】
黒面積判定部１７２は、映像信号から黒表示の面積を算出し、その黒面積のパネル１０の面積に対する比率を算出し、算出した比率が所定値（本実施形態では例えば１０％）以上か所定値未満かを判定し、その判定結果を初期化調整部１９０に通知する。黒面積判定部１７２は、比率が所定値以上のときは、映像信号が黒表示を含む映像を表すと判定する。言い換えると、黒面積判定部１７２は、比率が所定値以上のときは、映像信号が黒表示を重視する映像を表すと判定する。なお、黒表示における黒とは、Ｒ，Ｇ，Ｂの信号レベルが完全に０でなくともよく、信号レベルが０付近のレベルを黒とみなしても良い。
【００５８】
照度判定部１８０は、パネル１０の近傍の照度を検出し、検出した照度が所定値（本実施形態では例えば５０ルクス）以下か所定値を超えるかを判定し、その判定結果を初期化調整部１９０に通知する。本実施形態において、黒面積判定部１７２は、第３判定部の一例に対応し、ＡＰＬ判定部１７１は、第４判定部の一例に対応する。
【００５９】
初期化調整部１９０は、ＯＮ／ＯＦＦセレクタ１９１を含む。初期化調整部１９０は、各判定部１５０，１６０，１７１，１７２，１８０から通知された判定結果に基づき、ＯＮ／ＯＦＦセレクタ１９１から駆動信号生成部１００に向けて、初期化期間を設ける場合にはＯＮ信号を出力させ、初期化期間を設けない場合にはＯＦＦ信号を出力させる。
【００６０】
上述のように、３次元映像のときは、１フィールド期間が短いために、サブフィールド数を増やすことができない。そこで、初期化調整部１９０は、ＯＮ／ＯＦＦセレクタ１９１に、２Ｄ３Ｄ判定部１５０から通知される判定結果が３次元映像のときはＯＮ信号を出力させ、２次元映像のときはＯＦＦ信号を出力させる。これによって、パネル１０に３次元映像を好適に表示することができる。また、パネル１０にコントラストが向上した２次元映像を表示することができる。
【００６１】
フレームレートが１００Ｈｚを超えるときは、やはり１フィールド期間が短いために、サブフィールド数を増やすことができない。そこで、初期化調整部１９０は、ＯＮ／ＯＦＦセレクタ１９１に、フレームレート判定部１６０から通知される判定結果が１００Ｈｚを超えるときはＯＮ信号を出力させ、１００Ｈｚ以下のときはＯＦＦ信号を出力させる。これによって、パネル１０にフレームレートが１００Ｈｚを超える映像を好適に表示することができる。また、フレームレートが１００Ｈｚ以下の映像をパネル１０にコントラストを向上させて表示することができる。
【００６２】
映像信号のＡＰＬが低いときは、黒の輝度を低下させることが好ましい。そこで、初期化調整部１９０は、ＯＮ／ＯＦＦセレクタ１９１に、ＡＰＬ判定部１７１から通知される判定結果が所定値以下のときはＯＦＦ信号を出力させ、所定値を超えるときはＯＮ信号を出力させる。これによって、パネル１０にＡＰＬが所定値以下の映像を低下させた黒輝度で好適に表示することができる。
【００６３】
映像信号の黒面積が大きいときは、黒の輝度を低下させることが好ましい。そこで、初期化調整部１９０は、ＯＮ／ＯＦＦセレクタ１９１に、黒面積判定部１７２から通知された判定結果が所定値以上のときはＯＦＦ信号を出力させ、所定値未満のときはＯＮ信号を出力させる。これによって、パネル１０に黒面積の比率が所定値以上の映像を低下させた黒輝度で好適に表示することができる。
【００６４】
パネル１０の周辺の照度が低いときは、黒の輝度を低下させることが好ましい。そこで、初期化調整部１９０は、ＯＮ／ＯＦＦセレクタ１９１に、照度判定部１８０から通知された判定結果が所定値以下のときはＯＦＦ信号を出力させ、所定値を超えるときはＯＮ信号を出力させる。これによって、照度が所定値以下の環境で、パネル１０に低下させた黒輝度で映像を好適に表示することができる。
【００６５】
図７は、初期化調整部１９０により生成される、初期化期間を一部のラインにのみ設けたフィールドを説明する模式図である。図７を用いて、初期化調整部１９０の機能がさらに説明される。
【００６６】
初期化期間を設けるフィールドと初期化期間を設けないフィールドとの間で急に切り替わると、フリッカが生じるなど画質が劣化する可能性がある。そこで、初期化調整部１９０は、初期化期間の有無が切り替わるときは、初期化期間を設けるフィールドと初期化期間を設けないフィールドとの間で、初期化期間を一部のラインにのみ設けたフィールドを設ける。図７（ａ）は、初期化期間を設けないフィールドを示す。図７（ｂ）は、６ラインごとに１ライン初期化期間を設けたフィールドを示す。図７（ｃ）は、２ラインごとに１ライン初期化期間を設けたフィールドを示す。図７（ｄ）は、全ラインで初期化期間を設けたフィールドを示す。図７（ｂ）、図７（ｃ）では、初期化期間を一部のラインにのみ設けることで初期化期間を間引いた状態となっている。
【００６７】
初期化調整部１９０は、図７（ａ）に示される初期化期間を設けないフィールドと、図７（ｄ）に示される初期化期間を設けたフィールドとの間で切り替わるときは、図７（ｂ）及び図７（ｃ）に示される、初期化期間を一部のラインにのみ設けたフィールドを生成する間引き期間を設ける。このように、初期化期間ありと初期化期間なしとの間を滑らかに切り替えることにより、映像に初期化期間の有無の切り替わりが目立つのを防止することが可能になっている。本実施形態において、図７（ｄ）に示される全ラインで初期化期間を設けたフィールドが第１状態の一例に対応し、図７（ａ）に示される初期化期間を設けないフィールドが第２状態の一例に対応し、図７（ｂ）及び図７（ｃ）に示される、初期化期間を一部のラインにのみ設けたフィールドが第３状態の一例に対応する。
【００６８】
図７に示される間引き期間では、初期化期間を一部のラインにのみ設けたフィールドを２個生成しているが、これに限られない。代替的に、初期化期間の有無の間に設けられる間引き期間において、初期化期間を一部のラインにのみ設けたフィールドを１個だけ生成してもよく、３個以上生成してもよい。また、図７では、ラインごとに初期化期間を設けているが、これに限られない。代替的に、一部の画素（放電セル）にのみ初期化期間を設けるようにしてもよい。但し、図７に示されるように、ラインごとに初期化期間の有無を設けるのが制御し易いため好ましい。
【００６９】
図１に戻って、駆動信号生成部１００は、さらに、ＯＮ／ＯＦＦセレクタ１９１からＯＮ信号が入力されると、初期化期間を１フィールド期間における先頭サブフィールドに設けるように生成した駆動信号を初期化駆動部１１０に出力する。また、駆動信号生成部１００は、ＯＮ／ＯＦＦセレクタ１９１からＯＦＦ信号が入力されると、駆動信号を初期化駆動部１１０に出力しない。駆動信号生成部１００は、ＯＮ／ＯＦＦセレクタ１９１からＯＦＦ信号が入力されて初期化期間を設けない場合には、輝度重みｐ（ｐ＜１）を持つサブフィールドを１フィールド期間の先頭に追加するように生成した駆動信号を、データ書込駆動部１２０、維持駆動部１３０及び消去駆動部１４０に出力する。本実施形態において、駆動信号生成部１００および初期化調整部１９０は制御部の一例に対応する。
【００７０】
図８ないし図１２は、本実施形態におけるプラズマディスプレイ装置の動作を示すフローチャートである。図１、図８ないし図１２を用いて、プラズマディスプレイ装置の具体的な動作手順が説明される。
【００７１】
図８は、２Ｄ３Ｄ判定部１５０の判定結果に基づく動作手順を示すフローチャートである。まず、初期化調整部１９０は、２Ｄ３Ｄ判定部１５０からの通知内容が３次元映像か否かを判定し（ステップＳ１０）、３次元映像であれば（ステップＳ１０でＹＥＳ）、初期化期間ありとし、現在の状態から切替があるか否かを判定する（ステップＳ１２）。現在の状態が初期化期間なしであれば、初期化調整部１９０は、切替ありと判定し（ステップＳ１２でＹＥＳ）、間引き期間を設けて（ステップＳ１４）、初期化期間あり（ステップＳ１６）に移行させた後、終了する。現在の状態が初期化期間ありであれば、初期化調整部１９０は、切替なしと判定し（ステップＳ１２でＮＯ）、終了する。一方、ステップＳ１０で、２次元映像であれば（ステップＳ１０でＮＯ）、初期化調整部１９０は、初期化期間なしとし、現在の状態から切替があるか否かを判定する（ステップＳ１８）。現在の状態が初期化期間ありであれば、初期化調整部１９０は、切替ありと判定し（ステップＳ１８でＹＥＳ）、間引き期間を設けて（ステップＳ２０）、初期化期間なし（ステップＳ２２）に移行した後、終了する。現在の状態が初期化期間なしであれば、初期化調整部１９０は、切替なしと判定し（ステップＳ１８でＮＯ）、終了する。
【００７２】
図９は、フレームレート判定部１６０の判定結果に基づく動作手順を示すフローチャートである。まず、初期化調整部１９０は、フレームレート判定部１６０からの通知内容が１００Ｈｚを超えているか否かを判定する（ステップＳ２４）。１００Ｈｚを超えていれば（ステップＳ２４でＹＥＳ）、初期化調整部１９０は、初期化期間ありとし、現在の状態から切替があるか否かを判定する（ステップＳ２６）。ステップＳ２６，Ｓ２８，Ｓ３０は、ステップＳ１２，Ｓ１４，Ｓ１６と同様であるので説明を省略する。一方、ステップＳ２４において、１００Ｈｚ以下であれば（ステップＳ２４でＮＯ）、初期化調整部１９０は、初期化期間なしとし、現在の状態から切替があるか否かを判定する（ステップＳ３２）。ステップＳ３２，Ｓ３４，Ｓ３６は、ステップＳ１８，Ｓ２０，Ｓ２２と同様であるので説明を省略する。
【００７３】
図１０は、黒面積判定部１７２の判定結果に基づく動作手順を示すフローチャートである。まず、初期化調整部１９０は、黒面積判定部１７２からの通知内容が所定値（本実施形態では例えば１０％）以上か否かを判定する（ステップＳ３８）。所定値未満であれば（ステップＳ３８でＮＯ）、初期化期間ありとし、現在の状態から切替があるか否かを判定する（ステップＳ４０）。ステップＳ４０，Ｓ４２，Ｓ４４は、ステップＳ１２，Ｓ１４，Ｓ１６と同様であるので説明を省略する。一方、初期化調整部１９０は、ステップＳ３８において、所定値以上であれば（ステップＳ３８でＹＥＳ）、初期化期間なしとし、現在の状態から切替があるか否かを判定する（ステップＳ４６）。ステップＳ４６，Ｓ４８，Ｓ５０は、ステップＳ１８，Ｓ２０，Ｓ２２と同様であるので説明を省略する。
【００７４】
図１１は、ＡＰＬ判定部１７１の判定結果に基づく動作手順を示すフローチャートである。まず、初期化調整部１９０は、ＡＰＬ判定部１７１からの通知内容が所定値（本実施形態では例えば１０％）以下か否かを判定する（ステップＳ５２）。所定値を超えていれば（ステップＳ５２でＮＯ）、初期化期間ありとし、現在の状態から切替があるか否かを判定する（ステップＳ５４）。ステップＳ５４，Ｓ５６，Ｓ５８は、ステップＳ１２，Ｓ１４，Ｓ１６と同様であるので説明を省略する。一方、初期化調整部１９０は、ステップＳ５２において、所定値以下であれば（ステップＳ５２でＹＥＳ）、初期化期間なしとし、現在の状態から切替があるか否かを判定する（ステップＳ６０）。ステップＳ６０，Ｓ６２，Ｓ６４は、ステップＳ１８，Ｓ２０，Ｓ２２と同様であるので説明を省略する。
【００７５】
図１２は、照度判定部１８０の判定結果に基づく動作手順を示すフローチャートである。まず、初期化調整部１９０は、照度判定部１８０からの通知内容が所定値（本実施形態では例えば５０ルクス）以下か否かを判定する（ステップＳ６６）。所定値を超えていれば（ステップＳ６６でＮＯ）、初期化期間ありとし、現在の状態から切替があるか否かを判定する（ステップＳ６８）。ステップＳ６８，Ｓ７０，Ｓ７２は、ステップＳ１２，Ｓ１４，Ｓ１６と同様であるので説明を省略する。一方、初期化調整部１９０は、ステップＳ６６において、所定値以下であれば（ステップＳ６６でＹＥＳ）、初期化期間なしとし、現在の状態から切替があるか否かを判定する（ステップＳ７４）。ステップＳ７４，Ｓ７６，Ｓ７８は、ステップＳ１８，Ｓ２０，Ｓ２２と同様であるので説明を省略する。
【００７６】
図８ないし図１２に示される動作手順では、初期化調整部１９０は、各判定部１５０，１６０，１７１，１７２，１８０による判定結果に優先順位を付けていない。代替的に、初期化調整部１９０は、２Ｄ３Ｄ判定部１５０が３次元映像と判定したとき、及びフレームレート判定部１６０が１００Ｈｚを超えると判定したときは、他の判定部１７１，１７２，１８０の判定結果に関係なく、初期化期間を設けるとしてもよい。上述のように、３次元映像の場合及びフレームレートが１００Ｈｚを超える場合には、１フィールド期間が短いために、サブフィールド数を増やすことができない。そこで、これらの場合には、初期化調整部１９０は、初期化期間を設ける、つまり図４に示される駆動を行うとしてもよい。これによって、３次元映像及びフレームレートが１００Ｈｚを超える映像を、パネル１０に好適に表示することができる。
【００７７】
さらに代替的に、初期化調整部１９０は、ＡＰＬ判定部１７１、黒面積判定部１７２及び照度判定部１８０の間で、優先順位を付けるようにしてもよい。例えば、初期化調整部１９０は、黒面積判定部１７２により黒面積の比率が所定値以上と判定されたときは、ＡＰＬや照度の値に関係なく、初期化期間を設けないとしてもよい。さらに代替的に、初期化調整部１９０は、照度判定部１８０により照度が所定値以下と判定されたときは、ＡＰＬや黒面積の値に関係なく、初期化期間を設けないとしてもよい。
【００７８】
以上のように、この実施形態によれば、初期化調整部１９０は、各判定部１５０，１６０，１７１，１７２，１８０による判定結果に基づき、初期化期間の有無を切り替えている。したがって、判定結果に基づき、初期化期間を設けた場合には、放電不良発生の抑制を図ることができ、判定結果に基づき、初期化期間を設けない場合には、コントラスト向上を図ることができる。
【００７９】
上記実施形態では、図４に示される初期化期間を設けた駆動において、先頭のサブフィールドＳＦ１にのみ初期化期間を設けているが、これに限られない。代替的に、先頭のサブフィールドＳＦ１以外のサブフィールドＳＦ２〜ＳＦ７の全部または一部にも、初期化期間を設けてもよい。
【００８０】
上記実施形態では、図５に示される初期化期間を設けない駆動において、図４に示される駆動に対して、サブフィールド数を１個増加させているが、これに限られない。代替的に、図５に示される初期化期間を設けない駆動において、輝度重みｐを持つ低輝度サブフィールドに置き換えることで、サブフィールド数を図４に示される駆動と同じとしてもよい。但し、この場合には、上述のように、輝度重みｐの輝度が小さいため、図４に示される駆動に対して、階調性が低下するので、サブフィールド数を増加させる上記実施形態の方が好ましい。
【産業上の利用可能性】
【００８１】
本発明は、判定結果に基づき初期化期間を設けた場合には、放電不良発生の抑制を図ることができる一方、判定結果に基づき初期化期間を設けない場合には、コントラスト向上を図ることができるので、プラズマディスプレイ装置及びプラズマディスプレイパネルの駆動方法として有用である。
【符号の説明】
【００８２】
１０  パネル
２２  走査電極
２３  維持電極
２４  表示電極対
３２  データ電極
１００  駆動信号生成部
１１０  初期化駆動部
１２０  データ書込駆動部
１３０  維持駆動部
１４０  消去駆動部
１５０  ２Ｄ３Ｄ判定部
１６０  フレームレート判定部
１７０  特徴量判定部
１７１  ＡＰＬ判定部
１７２  黒面積判定部
１８０  照度判定部
１９０  初期化調整部
１９１  ＯＮ／ＯＦＦセレクタ
ＤＣ  放電セル
【図１】
2012242730.tif 000003
【図２】
2012242730.tif 000004
【図３】
2012242730.tif 000005
【図４】
2012242730.tif 000006
【図５】
2012242730.tif 000007
【図６】
2012242730.tif 000008
【図７】
2012242730.tif 000009
【図８】
2012242730.tif 000010
【図９】
2012242730.tif 000011
【図１０】
2012242730.tif 000012
【図１１】
2012242730.tif 000013
【図１２】
2012242730.tif 000014